(57)【要約】【課題】  確実に気密性を保持することができるコップを提供する。【解決手段】  金属製コップ本体３と、コップ本体３の上端縁４に第１シール材１を介して固着されるとともにコップ本体３の側壁部５を包囲する外筒体６と、外筒体６の下部７を第２シール材２を介して施蓋するプラスチック製底蓋８を備える。コップ本体３と外筒体６の間に円筒状断熱エアー層Ｓが形成されている。コップ本体３の底壁部９に金属製雄ネジ短筒体10が固着されている。底蓋８が雄ネジ短筒体10に螺合可能な雌ネジ部11を有する。底蓋８は、円板部12と、円板部12の中央に立設された雌ネジ部11を内周面13に有する小円筒突部14と、第２シール材２を嵌着する上方開口状の凹溝部15とを有する。雄ネジ短筒体10の外径寸法ｄは、コップ本体３の底壁部９の直径Ｄの30％以上60％以下に設定されている。【選択図】  図１
0003112878.tif 000002
【実用新案登録請求の範囲】
【請求項１】
金属製コップ本体（３）と、該コップ本体（３）の上端縁（４）に第１シール材（１）を介して固着されるとともに該コップ本体（３）の側壁部（５）を包囲する外筒体（６）と、該外筒体（６）の下部（７）を第２シール材（２）を介して施蓋するプラスチック製底蓋（８）を備え、上記コップ本体（３）と上記外筒体（６）の間に円筒状断熱エアー層（Ｓ）が形成されているコップであって、
上記コップ本体（３）の底壁部（９）に金属製雄ネジ短筒体（10）が固着され、かつ、上記底蓋（８）が上記雄ネジ短筒体（10）に螺合可能な雌ネジ部（11）を有することを特徴とするコップ。
【請求項２】
金属製コップ本体（３）と、該コップ本体（３）の上端縁（４）に第１シール材（１）を介して固着されるとともに該コップ本体（３）の側壁部（５）を包囲する外筒体（６）と、該外筒体（６）の下部（７）を第２シール材（２）を介して施蓋するプラスチック製底蓋（８）を備え、上記コップ本体（３）と上記外筒体（６）の間に円筒状断熱エアー層（Ｓ）が形成されているコップであって、
上記コップ本体（３）の底壁部（９）に金属製雄ネジ短筒体（10）が固着され、かつ、上記底蓋（８）が上記雄ネジ短筒体（10）に螺合可能な雌ネジ部（11）を有し、
上記雄ネジ短筒体（10）の外径寸法（ｄ）を、上記コップ本体（３）の底壁部（９）の直径（Ｄ）の30％以上60％以下に設定したことを特徴とするコップ。
【請求項３】
金属製コップ本体（３）と、該コップ本体（３）の上端縁（４）に第１シール材（１）を介して固着されるとともに該コップ本体（３）の側壁部（５）を包囲する外筒体（６）と、該外筒体（６）の下部（７）を第２シール材（２）を介して施蓋するプラスチック製底蓋（８）を備え、上記コップ本体（３）と上記外筒体（６）の間に円筒状断熱エアー層（Ｓ）が形成されているコップであって、
上記コップ本体（３）の底壁部（９）に金属製雄ネジ短筒体（10）が固着され、かつ、上記底蓋（８）が上記雄ネジ短筒体（10）に螺合可能な雌ネジ部（11）を有し、
上記底蓋（８）は、円板部（12）と、該円板部（12）の中央に立設された上記雌ネジ部（11）を内周面（13）に有する小円筒突部（14）と、上記第２シール材（２）を嵌着する上方開口状の凹溝部（15）とを有し、
上記雄ネジ短筒体（10）の外径寸法（ｄ）を、上記コップ本体（３）の底壁部（９）の直径（Ｄ）の30％以上60％以下に設定したことを特徴とするコップ。
【考案の詳細な説明】
【技術分野】
【０００１】
本考案は、コップに関する。
【背景技術】
【０００２】
従来の保温をすることができるコップとして、図４と図５に示すように、内コップ本体Ｎと外コップ本体Ｇとが円筒状断熱エアー層Ａを形成するように固着されているものが公知である。Ｐ1 、Ｐ2 、Ｐ3 は、それぞれ第１パッキン、第２パッキン、第３パッキンを示す。
【０００３】
内コップ本体Ｎと外コップ本体Ｇの下側の固着構造は、次のとおりである。すなわち、内コップ本体Ｎの底壁部Ｔに帯板折曲材から成るネジ孔Ｈ3 付きの取付部材Ｘが固着されている。底カバーＫ、外コップ本体Ｇには、それぞれ、ビスＢを挿通する孔Ｈ1 、孔Ｈ2 が貫設されている。それらの孔Ｈ1 、孔Ｈ2 、ネジ孔Ｈ3 にビスＢを挿通して、底カバーＫと外コップ本体Ｇと内コップ本体Ｎが相互に固着されている。
【０００４】
しかし、ビスＢの径は小さいので、締付力が弱く、第２パッキンＰ2 が十分に圧縮されず、図５の矢印ａに示すように、第２パッキンＰ2 の部分から水が入るという問題があった。そして、第２パッキンＰ2 の部分から入った水が、図５の矢印ｂに示すように、外コップ本体Ｇの孔Ｈ2 から断熱エアー層Ａに入り、保温性が悪くなるという欠点があった。また、第２パッキンＰ2 から入った水が、断熱エアー層Ａ内で蒸気となって、図５の矢印ｃに示すように、底カバーＫの孔Ｈ3 からその蒸気が外部へ噴出するという欠点があった。さらに、ビスＢを取付ける際に、工具を必要としていた。
【考案の開示】
【考案が解決しようとする課題】
【０００５】
解決しようとする課題は、気密性が確保できない点である。すなわち、コップ内に水が入り、断熱性が低下する点である。
【課題を解決するための手段】
【０００６】
そこで、本考案に係るコップは、金属製コップ本体と、該コップ本体の上端縁に第１シール材を介して固着されるとともに該コップ本体の側壁部を包囲する外筒体と、該外筒体の下部を第２シール材を介して施蓋するプラスチック製底蓋を備え、上記コップ本体と上記外筒体の間に円筒状断熱エアー層が形成されているコップであって、上記コップ本体の底壁部に金属製雄ネジ短筒体が固着され、かつ、上記底蓋が上記雄ネジ短筒体に螺合可能な雌ネジ部を有するものである。
【０００７】
また、金属製コップ本体と、該コップ本体の上端縁に第１シール材を介して固着されるとともに該コップ本体の側壁部を包囲する外筒体と、該外筒体の下部を第２シール材を介して施蓋するプラスチック製底蓋を備え、上記コップ本体と上記外筒体の間に円筒状断熱エアー層が形成されているコップであって、上記コップ本体の底壁部に金属製雄ネジ短筒体が固着され、かつ、上記底蓋が上記雄ネジ短筒体に螺合可能な雌ネジ部を有し、上記雄ネジ短筒体の外径寸法を、上記コップ本体の底壁部の直径の30％以上60％以下に設定したものである。
【０００８】
また、金属製コップ本体と、該コップ本体の上端縁に第１シール材を介して固着されるとともに該コップ本体の側壁部を包囲する外筒体と、該外筒体の下部を第２シール材を介して施蓋するプラスチック製底蓋を備え、上記コップ本体と上記外筒体の間に円筒状断熱エアー層が形成されているコップであって、上記コップ本体の底壁部に金属製雄ネジ短筒体が固着され、かつ、上記底蓋が上記雄ネジ短筒体に螺合可能な雌ネジ部を有し、上記底蓋は、円板部と、該円板部の中央に立設された上記雌ネジ部を内周面に有する小円筒突部と、上記第２シール材を嵌着する上方開口状の凹溝部とを有し、上記雄ネジ短筒体の外径寸法を、上記コップ本体の底壁部の直径の30％以上60％以下に設定したものである。
【考案の効果】
【０００９】
本考案のコップによれば、確実に気密性を保持することができる。すなわち、常に断熱エアー層が適切な断熱性を有する。また、蒸気がコップ底部から噴き出すような危険もない。
【考案を実施するための最良の形態】
【００１０】
図１は、本考案の第１の実施の形態の使用状態を示す。図２は、上蓋17と底蓋８と巻きラベルシート体（後述）を取り外した状態を示す。このコップは、内部Ｅに熱い飲み物や冷たい飲み物Ｊを入れて、保温することができる。具体的には、金属製コップ本体３と、コップ本体３の上端縁４に第１シール材１を介して固着されるとともにコップ本体３の側壁部５を包囲する外筒体６と、外筒体６の下部７を第２シール材２を介して施蓋するプラスチック製底蓋８を備える。外筒体６は、例えば、プラスチック、ガラス等の透明材料から成る。コップ本体３と外筒体６の間に円筒状断熱エアー層Ｓが形成されている。
【００１１】
コップ本体３の底壁部９に金属製雄ネジ短筒体10がろう付け、スポット溶接、はんだ付け等により固着されている。底蓋８が雄ネジ短筒体10に螺合可能な雌ネジ部11を有する。底蓋８は、円板部12と、円板部12の中央に立設された（上述の）雌ネジ部11を内周面13に有する小円筒突部14と、第２シール材２を嵌着する上方開口状の凹溝部15とを有する。
【００１２】
雄ネジ短筒体10の外径寸法ｄは、コップ本体３の底壁部９の直径Ｄの30％以上60％以下に設定されている。外径寸法ｄが、直径Ｄの30％未満の場合、雄ネジ短筒体10と雌ネジ部11の螺着力が小さくシール材２を十分に圧縮できず、水の浸入の虞れが生ずる。また、外径寸法ｄが、直径Ｄの60％を越える場合、雄ネジ短筒体10と雌ネジ部11との摩擦抵抗が増加して底蓋８の回転が難しくなる場合がある。また、雄ネジ短筒体10をコップ本体３に固着する作業が行ないにくくなる虞れがある。
【００１３】
円筒状断熱エアー層Ｓに、紙、プラスチック等から成る巻きラベルシート体16が、差込まれて保持されている。（図２のように底蓋８を取外した状態で、巻きラベルシート体16を差込み・抜出し自在である。）巻きラベルシート体16には、絵や文字等が印刷されているのが好ましい。透明の外筒体６を通して、それらの絵や文字等を鑑賞することができ、デザイン的に優れる。
【００１４】
図３は、第２の実施の形態を示す。雄ネジ短筒体10が、有底短筒形状に形成されている。雄ネジ短筒体10によって負傷することを、防止することができる。
【００１５】
なお、本考案は、設計変更可能であって、例えば、外筒体６を、不透明なプラスチック製とするも良い。また、巻きラベルシート体16を省略しても良い。
【００１６】
以上のように、本考案は、金属製コップ本体３と、コップ本体３の上端縁４に第１シール材１を介して固着されるとともにコップ本体３の側壁部５を包囲する外筒体６と、外筒体６の下部７を第２シール材２を介して施蓋するプラスチック製底蓋８を備え、コップ本体３と外筒体６の間に円筒状断熱エアー層Ｓが形成されているコップであって、コップ本体３の底壁部９に金属製雄ネジ短筒体10が固着され、かつ、底蓋８が雄ネジ短筒体10に螺合可能な雌ネジ部11を有するので、強力な締付力が得られ、確実に気密性を保持することができる。特に、第２シール材２を弾性的に十分に圧縮することができる。そして、常に断熱エアー層Ｓが適切な断熱性を有する。また、上記がコップ底部から噴き出すような危険がない。
【００１７】
さらに、従来のコップ（図４・図５参照）と比較して部品点数を少なくすることができる。また、従来のコップは金属製のビスＢから熱が外部に逃げやすかったが、本考案のコップは底蓋８がプラスチック製でありかつ孔がないので熱が外部に逃げることを防止することができて保温性に優れる。
また、巻きラベルシート体16を色々な種類に取り替えることができて、楽しめる。また、巻きラベルシート体16の交換を容易に行なうことができる。また、工具を必要とせずに、底蓋８を着脱することができる。
【００１８】
また、金属製コップ本体３と、コップ本体３の上端縁４に第１シール材１を介して固着されるとともにコップ本体３の側壁部５を包囲する外筒体６と、外筒体６の下部７を第２シール材２を介して施蓋するプラスチック製底蓋８を備え、コップ本体３と外筒体６の間に円筒状断熱エアー層Ｓが形成されているコップであって、コップ本体３の底壁部９に金属製雄ネジ短筒体10が固着され、かつ、底蓋８が雄ネジ短筒体10に螺合可能な雌ネジ部11を有し、雄ネジ短筒体10の外径寸法ｄを、コップ本体３の底壁部９の直径Ｄの30％以上60％以下に設定したので、強力な締付力が得られ、確実に気密性を保持することができる。特に、第２シール材２を弾性的に十分に圧縮することができる。また、上記がコップ底部から噴き出すような危険がない。
【００１９】
また、雄ネジ短筒体10と雌ネジ部11の螺着力が適度に大きく、第２シール材２を十分に圧縮して水の浸入を防止することができるとともに、容易に底蓋８を回転させて開蓋することができる。また、雄ネジ短筒体10を容易にコップ本体３の底壁部９に固着することができる。
さらに、従来のコップ（図４・図５参照）と比較して部品点数を少なくすることができる。また、従来のコップは金属製のビスＢから熱が外部に逃げやすかったが、本考案のコップは底蓋８がプラスチック製でありかつ孔がないので熱が外部に逃げることを防止することができて保温性に優れる。
また、巻きラベルシート体16を色々な種類に取り替えることができて、楽しめる。また、巻きラベルシート体16の交換を容易に行なうことができる。また、工具を必要とせずに、底蓋８を着脱することができる。
【００２０】
また、金属製コップ本体３と、コップ本体３の上端縁４に第１シール材１を介して固着されるとともにコップ本体３の側壁部５を包囲する外筒体６と、外筒体６の下部７を第２シール材２を介して施蓋するプラスチック製底蓋８を備え、コップ本体３と外筒体６の間に円筒状断熱エアー層Ｓが形成されているコップであって、コップ本体３の底壁部９に金属製雄ネジ短筒体10が固着され、かつ、底蓋８が雄ネジ短筒体10に螺合可能な雌ネジ部11を有し、底蓋８は、円板部12と、円板部12の中央に立設された雌ネジ部11を内周面13に有する小円筒突部14と、第２シール材２を嵌着する上方開口状の凹溝部15とを有し、雄ネジ短筒体10の外径寸法ｄを、コップ本体３の底壁部９の直径Ｄの30％以上60％以下に設定したので、強力な締付力が得られ、より確実に気密性を保持することができる。特に、第２シール材２を弾性的に十分に圧縮することができる。また、蒸気がコップ底部から噴き出すような危険がない。
【００２１】
また、雄ネジ短筒体10と雌ネジ部11の螺着力が適度に大きく、第２シール材２を十分に圧縮して水の浸入を防止することができるとともに、容易に底蓋８を回転させて開蓋することができる。また、雄ネジ短筒体10を容易にコップ本体３の底壁部９に固着することができる。
さらに、従来のコップ（図４・図５参照）と比較して部品点数を少なくすることができる。また、従来のコップは金属製のビスＢから熱が外部に逃げやすかったが、本考案のコップは底蓋８がプラスチック製でありかつ孔がないので熱が外部に逃げることを防止することができて保温性に優れる。
また、巻きラベルシート体16を色々な種類に取り替えることができて、楽しめる。また、巻きラベルシート体16の交換を容易に行なうことができる。また、工具を必要とせずに、底蓋８を着脱することができる。
【図面の簡単な説明】
【００２２】
【図１】本考案の第１の実施の形態の使用状態を示す断面正面図である。
【図２】説明用断面正面図である。
【図３】第２の実施の形態を示す断面正面図である。
【図４】従来例を示す断面正面図である。
【図５】要部拡大断面正面図である。
【符号の説明】
【００２３】
１  第１シール材
２  第２シール材
３  コップ本体
４  上端縁
５  側壁部
６  外筒体
７  下部
８  底蓋
９  底壁部
10  雄ネジ短筒体
11  雌ネジ部
12  円板部
13  内周面
14  小円筒突部
15  凹溝部
ｄ  外径寸法
Ｄ  直径
Ｓ  断熱エアー層
【図１】
0003112878.tif 000003
【図２】
0003112878.tif 000004
【図３】
0003112878.tif 000005
【図４】
0003112878.tif 000006
【図５】
0003112878.tif 000007